(57)【要約】シクラメンを無菌的に育て、その根の一部または全部先端部を切除し適当な培地中で培養することによって当該部分に塊根（球根）を形成させる。その塊根を切り離して培養し発芽・発根させて、遺伝的に同じ個体（クローン植物）を作る。これにより、クラメンの塊根（球根）を安定的かつ効率的に生産し、それによりクローン植物を提供する。【特許請求の範囲】
【請求項１】
シクラメンの根の一部または全部を切除し、該シクラメンを塊根形成用培地で生育させ、該切除部に塊根（球根）を形成させることからなるシクラメン塊根の生産法。
【請求項２】
シクラメンとして、シクラメンの種子を無菌的に播種し、発芽・発根した植物を使用する請求項１記載のシクラメン塊根の生産法。
【請求項３】
塊根形成用培地として、Ｍｕｒａｓｈｉｇｅ  ＆  Ｓｋｏｏｇ培地（ＭＳ培地）またはこれを基とする修正ＭＳ培地に、植物ホルモンを添加したものを使用する請求項１記載のシクラメン塊根の生産法。
【請求項４】
塊根形成用培地として、ＭＳ培地の多量要素を１／３〜１／２とした修正ＭＳ培地であって、０．０１〜１０ｍｇ／ｌのベンジルアミノプリン（ＢＡ）、１０〜１００ｇ／ｌのショ糖、６〜８ｇ／ｌの寒天を含有する固形培地を使用する請求項３記載のシクラメン塊根の生産法。
【請求項５】
塊根形成用培地として、ＭＳ培地の多量要素を１／３〜１／２とした修正ＭＳ培地であって、０．０１〜１０ｍｇ／ｌのベンジルアミノプリン（ＢＡ）、１０〜１００ｇ／ｌのショ糖を含有する液体培地を使用する請求項３記載のシクラメン塊根の生産法。
【請求項６】
請求項１に記載の方法で形成されたシクラメン塊根を発芽・発根させることにより、クローン植物を得ることを特徴とするシクラメンの増殖法。
【請求項７】
シクラメン塊根を発芽・発根用培地で発芽・発根させる請求項６記載のシクラメンの増殖法。
【請求項８】
発芽・発根用培地として、ＭＳ培地の多量要素を１／３〜１／２とした修正ＭＳ培地であって、０．０１〜１０ｍｇ／ｌのベンジルアミノプリン（ＢＡ）および１０〜１００ｇ／ｌのショ糖を含有する液体培地を使用する請求項７記載のシクラメンの増殖法。
【請求項９】
発芽・発根用培地として、ＭＳ培地の多量要素を１／３〜１／２とした修正ＭＳ培地であって、０．０１〜１０ｍｇ／ｌのベンジルアミノプリン（ＢＡ）、１０〜１００ｇ／ｌのショ糖および６〜８ｇ／ｌの寒天を含有する固形培地を使用する請求項７記載のシクラメンの増殖法。
【発明の詳細な説明】
技術分野
本発明は、シクラメンの根に特殊な方法で塊根（球根）を形成させることによりシクラメン塊根を生産する方法、並びに、それを用いて遺伝的に安定なシクラメンのクローン個体を増殖する方法に関する。
背景技術
シクラメンは、虫媒による他家受精植物であるが、人為的に自殖も可能である。しかし、シクラメンは自殖を繰り返すことにより自殖弱勢が現れるため、通常は、個体間の交配により種子を生産することが行われている。そのため、遺伝的に固定した、いわゆる純系個体を得ることができない。特にシクラメンの四倍体品種では、遺伝的に固定することは極めて困難である。
このような問題を解決するために、シクラメンの植物体組織片を培養して遺伝的に同じ形質を表す個体を得るための栄養繁殖方法が開発されてきた。それらの多くは、組織片を培養してカルスを誘導し、それから不定芽・不定根を分化させた後に幼苗を形成させる増殖法である。
このような増殖法として、安藤と村崎は、暗黒条件下で葉柄部分を徒長させることにより得られる黄化葉柄を用いたシクラメンの増殖法を提案している（非特許文献１参照）。
大橋らは、種子を殺菌した無菌幼植物からシクラメンを増殖させる方法を報告している（非特許文献２参照）。
一方、市橋らは、固形培地上で誘導した不定芽を外植片とし、これを液体培養することにより塊茎様体を誘導する方法を検討し、固形培地のみを使用する方法よりも効率良くシクラメンを増殖させる方法を提案している（非特許文献３参照）。
さらに、シクラメンの葉柄を液体培養して塊茎様体を生産する際に、液体培地中の糖質濃度をいったん高めることにより発芽率の高いシクラメン塊茎様体を得ることが提案されている（特許文献１参照）。
しかし、本発明者の研究によれば、これらの方法は、再現性・安定性に問題があること、そして、増殖して株を得られた場合でも株を得るまでに６ヶ月程度の日数を要すること、がわかった。
本発明は、上述のような従来法に比べて、格段に再現性よく安定的かつ効率的にシクラメンの塊根（球根）を生産し得る方法、その塊根を用いてシクラメンのクローン植物を増殖・生育する方法を提供しようとするものである。
（非特許文献１）
安藤、村崎、「千葉大学園芸学部報告」ｖｏｌ．３２，ｐｐ．１−５，１９８３）
（非特許文献２）
大橋ら、「栃木県農業試験所研究報告」Ｎｏ．３６，ｐｐ．９３−１０８，１９８９）
（非特許文献３）
市橋ら、「岐阜県農業総合研究センター研究報告」Ｎｏ．５，ｐｐ．１−２３，１９９２）
（特許文献１）
特開平９−３１３０５８号公報
発明の開示
本来、シクラメンは、胚軸が肥大して塊茎を形成し、そこから発芽・発根する植物である。これまでシクラメンの塊根（球根）を形成させ、この塊根を用いてシクラメンのクローン植物を増殖するという方法は知られていない。本発明者は、シクラメンのクローン植物を効率的に増殖させる方法について研究を進め、特殊な方法でシクラメンの根に塊根を形成させることに成功した。本発明は、このような新知見に基づき、上記の塊根を生産する方法を提供するものである。また本発明は、この塊根から発芽・発根させ、安定的かつ効率的にシクラメンのクローン植物を増殖・生育させる方法等を提供するものである。
本発明によれば、上記の各課題は、シクラメンの根の一部または全部を切除し、その状態で塊根形成用培地の中で生育させることにより、該切除部に塊根（球根）を形成させることを特徴とするシクラメン塊根の生産法によって達成される。
すなわち本発明は、シクラメンの根の一部または全部を切除し、該シクラメンを塊根形成用培地で生育させ、該切除部に塊根（球根）を形成させることからなるシクラメン塊根の生産法である。
本発明によれば、好ましくは、試験管内等で無菌的に発芽・発根させたシクラメンの根の全部または一部を切除し、これを植物ホルモンを含む固形培地または液体培地で培養することによって、その根の切除部に塊根を形成させる。その結果、目的とするシクラメンのクローン植物の塊根を安定的に生産することができる。そして、この塊根を母体から切り離し、新たな培地中または土壌中で培養することにより、発芽・発根させて遺伝的にも安定なクローン植物を得ることができる。
＜シクラメン＞
本発明方法で使用することができるシクラメンは、栽培品種に限らず、野生種も使用できる。シクラメンの品種としては、ビクトリア、バーバーグ、ピュアホワイト、パステル、ミニシクラメン等を例示することができるが、これらの品種に限定されるものではない。
シクラメンとして、例えば、Ｍｕｒａｓｈｉｇｅ  ＆  Ｓｋｏｏｇ培地（以下「ＭＳ培地」と略称することがある）等に無菌播種し、そこで発芽・発根した幼植物を用いることができる。また、同様な培地に何代も継代した植物等も用いることができる。また、本発明方法により形成された塊根を発芽・発根させ、それらを次の材料として用いることもできる。これらは発芽・発根した幼植物に限らず、多数の花、葉や茎も有する生長した植物でもよい。
＜塊根形成＞
本発明方法では、発根したシクラメンの根の一部または全部を切除し、その状態で、適当な固形もしくは液状の培地中にて培養することにより、根の各切除部に塊根を発生させる。
この際、適当な培地を用いて培養するのが好ましい。このような塊根形成用培地として、上記ＭＳ培地またはこれをベースとして多量要素の量を変更した修正ＭＳ培地に、少なくとも１種の植物ホルモンを添加した固形培地または液体培地が好適に使用される。本発明方法では、例えば第１図に示すように、この培地に、シクラメンの無菌植物の根をその全部または一部を切除した状態で置床する。通常、ほぼ３０日間培養すれば第２図に示すような目で見えるほどの小さな塊根が、切除した根の先端部に生成してくる。
培養は、１５〜２０℃の大気中で、暗黒下で静置培養するのが好ましいが、弱光下で行ってもよく、また培養液を流通させた状態で行ってもよい。
塊根形成用培地としては、例えば、Ｍｕｒａｓｈｉｇｅ  ＆  Ｓｋｏｏｇ培地（略称：ＭＳ培地）、Ｗｈｉｔｅ培地、Ｌｉｓｍａｉｅｒ  ＆  Ｓｋｏｏｇ培地、ＧａｍｂｏｒｇのＢ５培地等の組織培養用培地に、１種または２種以上の植物ホルモンを添加したものが用いられる。なかでも、ＭＳ培地、あるいはＭＳ培地において多量要素（Ｍａｊｏｒ  Ｅｌｅｍｅｎｔ）と少量要素（Ｍｉｎｏｒ  Ｅｌｅｍｅｎｔ）からなる無機塩成分のうち多量要素を１／３〜１／２とした修正ＭＳ培地に、特定の植物ホルモンを添加して使用するのが好ましい。
ここでＭＳ培地とは、Ｔｏｓｈｉｏ  ＭｕｒａｓｈｉｇｅとＦｏｌｋｅ  Ｓｋｏｏｇとが１９６２年にタバコの培養に開発した培地であり、ＮＨ４ＮＯ３、ＫＮＯ３、ＣａＣｌ２、ＭｇＳＯ４、ＫＨ２ＰＯ４等の特定の無機塩とショ糖、ミオイノシトール等の特定の有機物とを含み、ｐＨ５．７〜５．８に調整後、必要に応じて寒天で固化した培地である。その具体的構成および特性については、“Ｐｈｙｓｉｏｌｏｇｉａ  Ｐｌａｎｔａｒｕｍ”Ｖｏｌ．１３，ｐ４７３−ｐ４９７，（１９６２）に詳しく記載されている。かかるＭＳ培地は、そのままで、あるいはＭＳ培地中の多量要素である無機塩類の量を変更して広く使用されており、後者の培地は一般に修正ＭＳ培地と総称される。
本発明方法で培地に添加する植物ホルモンとしては、例えば、α−ナフタレン酢酸（ＮＡＡ）、２，４−ジクロロフェノキシ酢酸、インドール酢酸等のオーキシン類やベンジルアミノプリン（ＢＡ）、カイネチン、ゼアチン等のサイトカイニン類を挙げることができる。
好適な塊根形成用培地の例としては、
（ｉ）ＭＳ培地の多量要素を１／３〜１／２に変更した修正ＭＳ培地であって、植物ホルモンとして０．０１〜１０ｍｇ／ｌ、好ましくは０．１〜１０ｍｇ／ｌのＢＡ、１０〜１００ｇ／ｌ、好ましくは３０〜９０ｇ／ｌのショ糖および６〜８ｇ／ｌの寒天を含有する固形培地が挙げられる。かかる培地は、必要に応じてさらに０．０１〜１ｍｇ／ｌ、好ましくは０．０１〜０．５ｍｇ／ｌ、さらに好ましくは０．０１〜０．０５ｍｇ／ｌのα−ナフタレン酢酸（ＮＡＡ）を含有していてもよい。あるいは、
（ｉｉ）ＭＳ培地の多量要素の量を１／３〜１／２に変更した修正ＭＳ培地であって、０．０１〜１０ｍｇ／ｌ、好ましくは０．１〜１０ｍｇ／ｌのベンジルアミノプリン（ＢＡ）および１０〜１００ｇ／ｌ、好ましくは３０〜９０ｇ／ｌのショ糖を含有する液体培地が挙げられる。かかる培地は、必要に応じてさらに、０．０１〜１ｍｇ／ｌ、好ましくは０．０１〜０．５ｍｇ／ｌ、さらに好ましくは０．０１〜０．０５ｍｇ／ｌのα−ナフタレン酢酸（ＮＡＡ）を含有していてもよい。
液体培地を使用する場合は、培養液を循環させて培養液中の各成分の濃度や温度を常にあるいは一定時間ごとに監視し、培養期間中これらをほぼ一定に保つよう調整することが好ましい。培養液の温度は１５〜２０℃度の範囲内に調整するのが好ましい。
なお、固形培地および液体培地ともに、培地中に微生物が発生するのは好ましくない。このため培地中にクロラムフェニコールなどの抗生物質を添加することもできる。
このような培地を用いて培養して生成した塊根は、これを母体より切り離して、直ちに発芽・発根させることもできる。安定的に増殖・生育させるには、切り離さずにさらに新しい培地に移して継代培養し、塊根をより肥大させた後で切り離すのが好ましい。この際使用する継代培養にための培地は、すでに述べた発芽・発根用の培地と同じ組成のものが好ましい。
＜発芽・発根＞
上述のような本発明方法により得られたシクラメン塊根は、もとのシクラメンの根から切り離して、適正な培地中または土壌中に移す。そして、さらに３０日間程度培養して発芽・発根させるとシクラメンのクローン植物の苗を得ることが出来る。これを育成することにより元のシクラメンと同一の形状・色調を有する花卉を再現させることができる。
この段階の培養において使用するに適した発芽・発根用培地としては、例えば、
（ｉ）ＭＳ培地の多量要素の量を１／３〜１／２とした修正ＭＳ培地であって、植物ホルモンとして０．０１〜１０ｍｇ／ｌ、好ましくは０．０１〜１ｍｇ／ｌのベンジルアミノプリン（ＢＡ）、１０〜１００ｇ／ｌ、好ましくは３０〜９０ｇ／ｌのショ糖および６〜８ｇ／ｌの寒天を含有する固形培地が挙げられる。かかる培地は植物ホルモンとしてさらに、０．０１〜１ｍｇ／ｌ、好ましくは０．０１〜０．５ｍｇ／ｌ、さらに好ましくは０．０１〜０．０５ｍｇ／ｌのα−ナフタレン酢酸（ＮＡＡ）を含有していてもよい。あるいは、
（ｉｉ）多量要素を１／３〜１／２とした修正ＭＳ培地であって、０．０１〜１０ｍｇ／ｌ、好ましくは０．０１〜１ｍｇ／ｌのベンジルアミノプリン（ＢＡ）および１０〜１００ｇ／ｌ、好ましくは３０〜９０ｇ／ｌのショ糖を含有する液体培地が挙げられる。かかる培地はさらに、０．０１〜１ｍｇ／ｌ、好ましくは０．０１〜０．５ｍｇ／ｌ、さらに好ましくは０．０１〜０．０５ｍｇ／ｌのα−ナフタレン酢酸（ＮＡＡ）を含有していてもよい。
液体培地を使用する場合は、培養液を循環させ培養液中の各成分の濃度や温度をほぼ一定に調整することができる。この段階の培養は、通常、１５〜２０℃の温度で、弱光または暗黒下（好ましくは暗黒条件下）で行われる。上記（ｉｉ）の液体培地で培養すると、根端部が肥大し塊根になることが確認された。さらに、この塊根は根から切り離して培養することにより発芽・発根させることができることも判明した。このことは、この塊根を使用してシクラメンのクローン個体を多数作出することができることを意味する。
発明を実施するための最良の形態
以下、本発明の好適な実施態様について説明する。
本発明方法では、まず、シクラメンの種子を例えば１（重量）％次亜塩素酸ナトリウム水溶液等で表面を滅菌後、培養試験管等に無菌的に播種し、発芽・発根させる。植物に内生菌が存在すると本発明の再現性が低下するので、無菌的に培養するのが適当である。
＜塊根の形成＞
次いで、発芽・発根した植物の根の全部または一部を切除し、第１図のように、少なくとも切除した部分は培地と接するように培地中に入れて培養を行う。適当な期間培養を継続することにより、第２図のように、切除した根の先に小さな塊根を生成してくる。切除する根の本数や切除部位には特に制限はないが、生産性・作業性等の観点から複数の根の先端部を切除するのが好ましい。このように根の一部または全部を切除した状態で適当な培地中で培養すると、その根の先に塊根が形成されるということは従来全く知られておらず、本発明者によって初めて見出された新事実である。
根の全部または一部を切除したシクラメンの培養に使用するのに適した塊根形成用培地としては、既に述べたように、ＭＳ培地あるいはＭＳ培地の多量要素を１／３〜１／２とした修正ＭＳ培地に、１種または２種以上の植物ホルモンを添加したものが好適である。
培地に添加する植物ホルモンとしては、すでに述べたように、ＮＡＡ（α−ナフタレン酢酸）、２，４−ジクロロフェノキシ酢酸、インドール酢酸等のオーキシン類やＢＡ（ベンジルアミノプリン）、カイネチン、ゼアチン等のサイトカイニン類が使用されるが。なかでもＢＡの使用が推奨される。
特に、植物ホルモンとして、ＢＡを、０．０１〜１０ｍｇ／ｌ、特に０．１〜１０ｍｇ／ｌの濃度で含有する培地が好適である。
かかる培地は、必要に応じてさらに０．０１〜１ｍｇ／ｌ、好ましくは０．０１〜０．５ｍｇ／ｌ、さらに好ましくは０．０１〜０．０５ｍｇ／ｌのα−ナフタレン酢酸（ＮＡＡ）を含有していてもよい。
また、この培養に使用する培地の炭素源としては、ショ糖やブドウ糖等の糖質を例示することができるが、好ましくはショ糖が使用される。なお、ショ糖濃度は、１０〜１００ｇ／ｌが適当であるが３０〜９０ｇ／ｌが好ましく、５０〜７０ｇ／ｌが特に好ましい。この培地は、寒天を６〜８ｇ／ｌの濃度で含有させ固形化したものが特に好適に使用される。
本発明方法では液体培地を使用することもできる。液体培地として、ＭＳ培地の多量要素の量を１／３にした修正ＭＳ培地（１／３ＭＳ培地）であって、ショ糖を１０〜１００ｇ／ｌ、好ましくは３０〜９０ｇ／ｌの濃度で含有し、ＢＡを０．０１〜１０ｍｇ／ｌ、特に０．１〜１０ｍｇ／ｌの濃度で含有する培地が好適である。
かかる培地は、必要に応じてさらに０．０１〜１ｍｇ／ｌ、好ましくは０．０１〜０．５ｍｇ／ｌ、さらに好ましくは０．０１〜０．０５ｍｇ／ｌのα−ナフタレン酢酸（ＮＡＡ）を含有していてもよい。
かかる培地により、根端を切除したシクラメンを培養すれば、塊根が誘導できる。
上記培地のｐＨは５．０〜８．０、好ましくは７．０付近に調整する。そして、培養は室温を１５〜２５℃、好ましくは１５〜２０℃の温度に設定して行う。なお、培養は光照射条件下（５００〜５，０００ルックス、好ましくは１，０００〜２，０００ルックス）で行ってもよいし、暗黒条件下で行ってもよいが、暗黒条件下の方がより好ましい。
このような条件で、ほぼ３０日間培養すれば、第２図に示すように、目で見えるほどの小さな塊根が切除した根の先端部に生成してくる。
＜発芽・発根＞
このようにして得られたシクラメン塊根を母体から切り離し、新たな培地（発芽・発根用培地）に置床し、３０日間程度培養して発芽・発根させるとクローン植物となる。したがって、本発明方法によれば、当初のシクラメン種子から約３ヶ月程度で効率的にクローン植物を得ることが可能となる。
なお、この段階の培養に使用する発芽・発根用培地としては、固形培地、液体培地のいずれでもよい。
例えば、固形培地の場合は、前述した１／３ＭＳ培地であって、０．０１〜１０ｍｇ／ｌ、好ましくは０．０１〜１ｍｇ／ｌのＢＡ、１０〜１００ｇ／ｌ、好ましくは３０〜９０ｇ／ｌのショ糖および６〜８ｇ／ｌの寒天を含有する固形培地を使用することができる。かかる培地は、さらにＮＡＡを０．０１〜１ｍｇ／ｌ、好ましくは０．０１〜０．５ｍｇ／ｌ、さらに好ましくは０．０１〜０．０５ｍｇ／ｌ含有していてもよい。
液体培地の場合は、１／３ＭＳ培地であって、０．０１〜１０ｍｇ／ｌ、好ましくは０．０１〜１ｍｇ／ｌのＢＡ、１０〜１００ｇ／ｌ、好ましくは３０〜９０ｇ／ｌのショ糖を含有する培地を使用することができる。かかる培地は、さらにＮＡＡを０．０１〜１．０ｍｇ／ｌ、好ましくは０．０１〜０．５ｍｇ／ｌ、さらに好ましくは０．０１〜０．０５ｍｇ／ｌ含有していてもよい。
かかる液体培地で、根端を切除したシクラメンを培養すれば、塊根が誘導できるので好適である
発芽・発根のための培養は、通常、室温下で、弱光または暗黒下（好ましくは暗黒条件下）で行われる。
このようにして得られた発芽・発根した塊根類は、これを水道水で洗浄し、その後次第に自然状態に馴化し、塊根植物として乾燥に耐える状態にし、それをシクラメンクローン植物の塊根として栽培者等に供給することもできる。
この塊根は、他の植物の球根のように畑や鉢に植え、潅水してやることにより植物体を得ることも可能である。
実施例
以下に、実施例に示し、本発明をさらに具体的に説明するが、本発明はこれによって限定されるものではない。なお、例中に述べる「１／３ＭＳ培地」は、ＭＳ培地において多量要素を１／３にした修正ＭＳ培地を意味する。
実施例１（固形培地）
＜無菌幼植物の育成＞
シクラメン（品種；ドレッシースカレット）の種子を、エチルアルコール濃度７０（重量）％のエチルアルコール水溶液に１０秒、次に有効塩素濃度１（重量）％の次亜塩素酸ナトリウム溶液に１０分間浸漬し、表面殺菌を行った。次いで、この種子を滅菌水で３回洗浄することにより種子表面の次亜塩素酸ナトリウムを取り除いた。これをショ糖を３０ｇ／ｌ、寒天を６ｇ／ｌ含むＭＳ固形培地に無菌播種し、培養温度２０℃、弱光の条件で３０日間培養し発芽・発根させた。
＜塊根の形成＞
上述の発芽・発根したシクラメン幼植物の根の先端部をメスで切除し以下の固形培地に置床した。培地としては、１／３ＭＳ培地に、植物ホルモンとして表１〜表３に示す濃度になるようにＮＡＡおよびＢＡを添加し、これにショ糖を３０〜９０ｇ／ｌになるように添加した多数の試験区を準備した。いずれの培地にも寒天を６ｇ／ｌになるように加え、ｐＨ＝７．０として、オートクレーブで滅菌処理した。この固形培地１０ｍｌを５０ｍｌ容の培養試験管に入れた。これらの培地に置床した幼植物を、２０℃の培養温度で、弱光下で一定日数、静置培養し、根の先端部に塊根を得た。その結果を後掲の表１、表２および表３に示す。
2003073838.tif 000002
2003073838.tif 000003
2003073838.tif 000004
＜塊根類の発芽＝クローン植物の増殖＞
このようにして得られたシクラメンの塊根を母体から切り離し、後掲の表４に示すように、１／３ＭＳ培地にＮＡＡ、ＢＡを添加し、これにショ糖を３０〜９０ｇ／ｌ添加した試験区に置床した。培地には寒天６ｇ／ｌ加え、ｐＨ＝７．０としてオートクレーブで滅菌処理した固形培地とした。培養試験管は毎日照明下１２時間と暗黒条件下１２時間静置した。その結果、塊根類が肥大しながら発芽・発根した。これらの実験結果を表４に示す。
2003073838.tif 000005
さらに、発芽・発根のための培養時の光の照射の影響について調べた。すなわち、下記基本培地をベースとしＢＡおよびショ糖の添加量を変えた下記のＡ，Ｂ，Ｃ，Ｄの４種の培地に１０個ずつ塊根を置床してテストを行った。
基本培地：１／３ＭＳ培地＋ＮＡＡ０．０５ｍｇ／ｌ＋寒天６ｇ／ｌ，ｐＨ＝７．０
培地Ａ：ＢＡ        ０ｍｇ／ｌ、ショ糖９０ｇ／ｌ
培地Ｂ：ＢＡ  ０．０５ｍｇ／ｌ、ショ糖３０ｇ／ｌ
培地Ｃ：ＢＡ  ０．５  ｍｇ／ｌ、ショ糖９０ｇ／ｌ
培地Ｄ：ＢＡ  ０．５  ｍｇ／ｌ、ショ糖５０ｇ／ｌ
を使用し、それぞれの直上から１５００ルックスの照明を毎日一定時間ずつ照射して発芽・発根の様子を観察した。なお、表５中の照射時間０は暗黒下での培養を意味する。その結果、表５に示す。表５から明らかなように、暗黒下での培養が最も効果的である。
2003073838.tif 000006
比較例１（葉片および葉柄の培養）
比較のため、シクラメン（品種；フラメンコ）の葉片および葉柄を、それぞれ、１／３ＭＳ培地＋ＮＡＡ０．０５ｍｇ／ｌ＋寒天６ｇ／ｌからなるｐＨ＝７．０の基本培地において、添加するＢＡおよびショ糖の濃度を変えて３０日間培養を行った。その結果を後掲の表６に示すが、いずれの場合も、培養で大きく肥大化したものは少なく、まして再分化まで至ったものは稀で、再現性よくクローン植物を得ることはできなかった。
2003073838.tif 000007
実施例２（液体培地）
植物ホルモンフリーの１／３ＭＳ培地にシクラメン種子を無菌播種し、発芽が揃った４０日苗の根端部をメスで切除し、表７に示す組成の、無機塩、ショ糖、植物ホルモンとしてのＮＡＡやＢＡを含有量が異なる４種類の液体培地で、３０日間培養した。塊茎部にフロートを巻き付け、塊茎部が液体培地に浮遊した状態で、回転培養した。
その結果、表７に示すように、ショ糖５０ｇ／ｌ、ＢＡ０．５ｍｇ／ｌを含有する１／３ＭＳ培地では塊根形成率が１００％であった。この２つの培地を比較すると、ＮＡＡが添加されない方が塊根の肥大はむしろ良くなることが判明した。
さらに、３０日という試験期間であれば、無機塩を含まない培地でもショ糖とＢＡが添加されておれば塊根が誘導できることも判明した。しかし、これらの条件下では、誘導される塊根はあまり肥大しない。
以上の結果、液体培地でも、寒天で固形化した培地と同様に、根端を切除したシクラメンから塊根が誘導できることが確認された。
2003073838.tif 000008
以上の実施例１および２から明らかなごとく、シクラメンの根端部を切除し、ショ糖、およびＢＡを含む１／３ＭＳ固形培地、あるいは、多量要素を１／３〜１／２とした修正ＭＳ培地であって、０．０１〜１０ｍｇ／ｌのＢＡおよび１０〜１００ｇ／ｌのショ糖を含む液体培地、で培養すると、根端部が肥大し塊根になることが確認された。さらに、この塊根は根から切り離して培養することにより発芽・発根させることができることも判明した。このことは、この塊根を使用してシクラメンのクローン個体を多数作出することができることを意味する。
発明の効果
本発明によれば、所要労力の高い作目であるシクラメンを再現性よく、安定的に、かつ効率的に生産する方法が提供される。すなわち、本発明のシクラメンの塊根の生産法によれば、遺伝的に安定したシクラメンの塊根を再現性よく生産することができる。またかかる方法は、どのシクラメン品種（野生種も含む）にも適用することができる。
本発明のシクラメンの増殖方法によれば、最短では約３ヶ月でクローン株を得ることができ、従来法よりも極めて効率的に遺伝的に安定したシクラメンのクローン苗を得ることができる。
産業上の利用可能性
本発明により得られるシクラメンのクローン苗は、株の形質が揃い、出荷時における商品価値が高いので、シクラメンの商業的生産に用いるのに適している。
【図面の簡単な説明】
第１図は、本発明方法にしたがって、シクラメンの無菌苗の根端部を切除した後、その根端部を固形培地中に植え付けて培養を開始する段階におけるシクラメンの根の写真である。さらに詳しくは、表２中の培地組成：ショ糖５０ｇ／ｌ、ＢＡ１．０ｍｇ／ｌ、ＮＡＡ０．０５ｍｇ／ｌで培養を開始する段階におけるシクラメンの根の写真である。第２図は、上記の培養開始から３０日目における上記根の先に塊根が形成した状況を示す写真である。
【図１】
2003073838.tif 000009
【図２】
2003073838.tif 000010
【国際調査報告】
2003073838.tif 000011
2003073838.tif 000012
2003073838.tif 000013
2003073838.tif 000014